(57)【特許請求の範囲】
【請求項１】
カラオケ曲放送システムであって、
放送サービスの提供者によって管理され、カラオケ曲の映像番組を前記放送サービスにより複数の視聴者に放送するセンタ装置と、
各視聴者ごとに設けられ、前記センタ装置から前記放送サービスにより前記カラオケ曲の映像番組を受信し、これに応じて各視聴者のカラオケ歌唱中の音声および映像のリアルタイムのデータを回線を介して前記センタ装置に送信する端末装置とを備え、
前記センタ装置は、
各視聴者からの前記カラオケ歌唱中の音声および映像のリアルタイムのデータを受信する手段と、
前記受信した音声のデータに基づいて各視聴者の歌唱を採点する手段と、
前記採点結果に応じて選択された視聴者から受信した前記カラオケ歌唱中の映像のリアルタイムのデータを、放送中の前記カラオケ曲の映像番組に合成する手段とを含む、カラオケ曲放送システム。
【請求項２】
カラオケ曲放送システムであって、
放送サービスの提供者によって管理され、カラオケ曲の映像番組を前記放送サービスにより複数の視聴者に放送するセンタ装置と、
各視聴者ごとに設けられ、前記センタ装置から前記放送サービスにより前記カラオケ曲の映像番組を受信し、これに応じて各視聴者のカラオケ歌唱を採点し、その採点結果とともにカラオケ歌唱中の各視聴者の映像のリアルタイムのデータを回線を介して前記センタ装置に送信する端末装置とを備え、
前記センタ装置は、
各視聴者からの前記採点結果および前記カラオケ歌唱中の映像のリアルタイムのデータを受信する手段と、
前記受信した採点結果に応じて選択された視聴者から受信した前記カラオケ歌唱中の映像のリアルタイムのデータを、放送中の前記カラオケ曲の映像番組に合成する手段とを含む、カラオケ曲放送システム。
【請求項３】
カラオケ曲放送システムにおいて、放送サービスの提供者によって管理されるセンタ装置であって、
カラオケ曲の映像番組を前記放送サービスにより複数の視聴者に放送する手段と、
前記映像番組を受信した各視聴者からのカラオケ歌唱中の音声および映像のリアルタイムのデータを回線を介して受信する手段と、
前記受信した音声のデータに基づいて各視聴者の歌唱を採点する手段と、
前記採点の結果に応じて選択された視聴者から受信した前記カラオケ歌唱中の映像のリアルタイムのデータを、放送中の前記カラオケ曲の映像番組に合成する手段とを含む、センタ装置。
【請求項４】
カラオケ曲放送システムにおいて、放送サービスの提供者によって管理されるセンタ装置であって、
カラオケ曲の映像番組を前記放送サービスにより複数の視聴者に放送する手段と、
前記映像番組を受信した各視聴者からのカラオケ歌唱の採点結果およびカラオケ歌唱中の各視聴者の映像のリアルタイムのデータを受信する手段と、
前記受信した採点結果に応じて選択された視聴者から受信した前記カラオケ歌唱中の映像のリアルタイムのデータを、放送中の前記カラオケ曲の映像番組に合成する手段とを含む、センタ装置。
【発明の詳細な説明】
【０００１】
【発明の属する技術分野】
この発明は、カラオケ曲放送システムおよびカラオケ曲放送システムにおけるセンタ装置に関し、特に、カラオケ曲の映像番組を受信した視聴者の当該映像番組へのリアルタイムの出演を可能にした視聴者参加型のカラオケ曲放送システムおよびカラオケ曲放送システムにおけるセンタ装置に関する。
【０００２】
【従来の技術】
近年、衛星放送やケーブルテレビ放送（ＣＡＴＶ）などを介してカラオケ曲の映像番組を専門に放送する放送サービスが実用化されている。
【０００３】
このような放送サービスでは、放送サービス提供者が管理する放送局のセンタ装置から、カラオケ曲の歌詞および背景の映像と楽曲の伴奏とからなる映像番組を衛星放送やＣＡＴＶを通じて送出し、当該サービスを利用している視聴者は自宅のカラオケ端末装置でこの映像番組を受信し、カラオケ歌唱を行なう。
【０００４】
一方、従来、採点機能付きのカラオケ装置は既に実用化されており、採点機能は周知である。このような従来の採点機能付きカラオケ装置は、カラオケ曲の歌唱後に、その音声データを解析して採点する採点部を内蔵しており、歌唱終了後に、その採点結果が表示される。
【０００５】
さらに、上述のカラオケ曲の放送サービスにおいて、各視聴者宅のカラオケ端末装置にこのような採点機能を付加し、採点結果を電話回線等を介して放送局のセンタ装置に送信し、センタ装置で採点結果の順位づけをしてその結果を各視聴者に知らせるサービスも実用化されている。
【０００６】
【発明が解決しようとする課題】
上述の放送サービスにより提供されるカラオケ曲の映像番組は、単にカラオケ曲の歌詞および背景の映像と楽曲の伴奏とからなるものであり、視聴者は従来どおり放送される映像番組を見ながら歌唱を行なうだけにすぎず、それ以上特別な楽しみ方はない。
【０００７】
また、従来の採点機能付きのカラオケ装置は単に歌唱中または歌唱後の採点結果を示すにすぎず、放送サービスのセンタ装置で採点結果の順位づけがなされたとしてもその結果が単に視聴者に知らされるだけであり、それ以上のサービス、たとえば各視聴者の番組参加型の放送サービスは実現されていない。
【０００８】
したがって、この発明の目的は、視聴者が自宅で放送サービスによるカラオケを楽しみながら、放送されるカラオケ曲の映像番組にリアルタイムで出演することができる視聴者参加型のカラオケ放送サービスを提供することである。
【０００９】
【課題を解決するための手段】
この発明によるカラオケ曲放送システムは、センタ装置と、端末装置とを備える。センタ装置は、放送サービスの提供者によって管理され、カラオケ曲の映像番組を放送サービスにより複数の視聴者に放送する。端末装置は、各視聴者ごとに設けられ、センタ装置から放送サービスによりカラオケ曲の映像番組を受信し、これに応じて各視聴者のカラオケ歌唱中の音声および映像のリアルタイムのデータを回線を介してセンタ装置に送信する。センタ装置は、各視聴者からカラオケ歌唱中の音声および映像のリアルタイムのデータを受信する手段と、受信した音声のデータに基づいて各視聴者の歌唱を採点する手段と、採点結果に応じて選択された視聴者から受信したカラオケ歌唱中の映像のリアルタイムのデータを、放送中のカラオケ曲の映像番組に合成する手段とを含む。
【００１０】
この発明によれば、視聴者のカラオケ歌唱のセンタ装置での採点結果に応じて、放送サービスによるカラオケ曲の映像番組に視聴者が出演することができるという付加価値をカラオケ曲放送システムに付加することができる。
【００１１】
この発明の他の局面に従うと、カラオケ曲放送システムは、センタ装置と、端末装置とを備える。センタ装置は、放送サービスの提供者によって管理され、カラオケ曲の映像番組を放送サービスにより複数の視聴者に放送する。端末装置は、各視聴者ごとに設けられ、センタ装置から放送サービスによりカラオケ曲の映像番組を受信し、これに応じて各視聴者のカラオケ歌唱を採点し、その採点結果とともにカラオケ歌唱中の各視聴者の映像のリアルタイムのデータを回線を介してセンタ装置に送信する。センタ装置は、各視聴者からの採点結果およびカラオケ歌唱中の映像のリアルタイムのデータを受信する手段と、受信した採点結果に応じて選択された視聴者から受信したカラオケ歌唱中の映像のリアルタイムのデータを、放送中のカラオケ曲の映像番組に合成する手段とを含む。
【００１２】
この発明によれば、視聴者のカラオケ歌唱の視聴者側端末装置での採点結果に応じて、放送サービスによるカラオケ曲の映像番組に視聴者が出演することができるという付加価値をカラオケ曲放送システムに付加することができる。
【００１３】
この発明のさらに他の局面に従うと、カラオケ曲放送システムにおいて、放送サービスの提供者によって管理されるセンタ装置は、カラオケ曲の映像番組を放送サービスにより複数の視聴者に放送する手段と、映像番組を受信した各視聴者からのカラオケ歌唱中の音声および映像のリアルタイムのデータを回線を介して受信する手段と、受信した音声のデータに基づいて各視聴者の歌唱を採点する手段と、採点の結果に応じて選択された視聴者から受信したカラオケ歌唱中の映像のリアルタイムのデータを、放送中のカラオケ曲の映像番組に合成する手段とを含む。
【００１４】
この発明によれば、視聴者のカラオケ歌唱のセンタ装置での採点結果に応じて、放送サービスによるカラオケ曲の映像番組に視聴者が出演することができるという付加価値をカラオケ曲放送システムのセンタ装置に付加することができる。
【００１５】
この発明のさらに他の局面に従うと、カラオケ曲放送システムにおいて、放送サービスの提供者によって管理されるセンタ装置は、カラオケ曲の映像番組を放送サービスにより複数の視聴者に放送する手段と、映像番組を受信した各視聴者からのカラオケ歌唱の採点結果およびカラオケ歌唱中の各視聴者の映像のリアルタイムのデータを受信する手段と、受信した採点結果に応じて選択された視聴者から受信したカラオケ歌唱中の映像のリアルタイムのデータを、放送中のカラオケ曲の映像番組に合成する手段とを含む。
【００１６】
この発明によれば、視聴者のカラオケ歌唱の視聴者側端末装置での採点結果に応じて、放送サービスによるカラオケ曲の映像番組に視聴者が出演することができるという付加価値をカラオケ曲放送システムのセンタ装置に付加することができる。
【００２１】
【発明の実施の形態】
［実施の形態１］
図１を参照して、この発明の実施の形態１によるカラオケ曲放送システムの全体構成について説明する。
【００２２】
まず、カラオケ曲放送システムは、衛星放送またはＣＡＴＶの放送局１に設置された放送サービスの提供者が管理するセンタ装置１１および放送設備１２と、当該放送サービスを利用している視聴者１６の自宅３に設置されたカメラ１３、マイク１４、およびカラオケ端末装置としてのＴＶ受像機１５とを備えている。
【００２３】
なお、当該放送サービスを利用している視聴者は通常複数人いるものと考えられ、図１は、そのうちの１人の視聴者１６の自宅３における装置構成を示している。図示しない他の視聴者の自宅にも図１の自宅３における装置と同じ構成の装置が備えられているものとする。
【００２４】
放送局１のセンタ装置１１は、従来の放送サービスと同様に、カラオケ曲の歌詞および背景の映像と楽曲の伴奏とからなる映像番組を形成し、放送設備１２を介して放送局１から送出する。送出されたカラオケ曲の映像番組は、衛星放送またはＣＡＴＶである伝送路４を介して放送され、複数の視聴者の自宅のカラオケ端末装置（図１の自宅３のＴＶ受像機１５）で受信される。
【００２５】
カラオケ曲の映像番組を受信した各視聴者１６は、センタ側からの後述するエントリ受付の案内に応じてエントリ申請をし、受信した映像番組を見ながらマイク１４に向かってカラオケ歌唱を行ない、歌唱中の視聴者１６の様子はカメラ１４によって撮影される。
【００２６】
マイク１４で得られた視聴者１６の歌唱のリアルタイムの音声データおよびカメラ１３で撮影された視聴者１６のリアルタイムの映像データは、電話回線のような公衆回線または何らかの専用回線（以下、公衆回線等）２を介して放送局１のセンタ装置１１に送られる。
【００２７】
センタ装置１１には、図示しない他の視聴者からのカラオケ歌唱の音声データおよび映像データも同様にリアルタイムで送られてくる。
【００２８】
センタ装置１１は、それぞれの視聴者から受信したカラオケ歌唱の音声データに基づき、それぞれの視聴者の歌唱を採点し、採点結果を順位づけする。そして、高得点（たとえば最高得点）を出した視聴者から送られてきたリアルタイムの映像データを選択して、放送設備１２に与える。
【００２９】
放送設備１２は、現在送出中のカラオケ曲の映像番組に、当該高得点者のリアルタイムの映像データを、たとえばスーパーインポーズによって合成し、伝送路４に送出する。
【００３０】
図２は、図１のセンタ装置１１の構成のうち、この発明の実施の形態１に係る制御を行なう部分を抽出して示すブロック図であり、従来のカラオケ曲の映像番組形成にかかる部分は図示省略している。また、図３は、図２のセンタ装置１１における制御動作を示すフロー図である。
【００３１】
図２および図３を参照して、この発明の実施の形態１によるカラオケ曲放送システムの動作についてより詳細に説明する。
【００３２】
まず、あるカラオケ曲の放送開始に際して、ステップＳ１において、実際にカラオケ曲の映像番組が放送される直前にまたは放送開始直後に、たとえば「次の曲は…です。エントリ受付中です。」という視聴者のエントリを呼びかける情報が放送局１から伝送路４を介して各視聴者に放送される。
【００３３】
これに応じてエントリを希望する視聴者は、電話等でセンタ装置１１にエントリの申請をし、センタ装置１１の制御部１１ｃは、視聴者からのエントリの申請を受付ける。
【００３４】
ステップＳ２において、放送局１からカラオケ曲の映像番組の放送が開始されると、エントリ済の視聴者１６のカメラ１３およびマイク１４からカラオケ歌唱の映像データおよび音声データが送出される。
【００３５】
複数の視聴者から公衆回線等２を介して送られてきたカラオケ歌唱のリアルタイムの音声データおよび映像データは、センタ装置１１の通信制御部１１ａで受信され、音声データのみが採点部１１ｂに転送される。
【００３６】
ステップＳ３において、採点部１１ｂは、エントリ済の複数の視聴者から受信した音声データをもとに、歌唱の採点を開始し、順位づけを行なう。
【００３７】
ステップＳ４において、制御部１１ｃは、採点部１１ｂによって決定された順位において高得点（たとえば最高得点）を出した視聴者からの映像データを選択する切換信号を発生して通信制御部１１ａに与える。通信制御部１１ａは、選択された視聴者からの映像のリアルタイムのデータを放送設備１２に出力し、放送設備１２は、現在放送中のカラオケ曲の映像番組に当該視聴者の映像を合成して放送する。
【００３８】
ステップＳ５において、当該カラオケ曲の終了が判断されるまで、上述のステップＳ４の処理が継続され、ステップＳ５において当該カラオケ曲の終了の判断がされると、次のカラオケ曲のエントリ受付へと進む。そして、図３のステップＳ１〜Ｓ５の処理が繰返されることになる。
【００３９】
以上のように、この発明の実施の形態１によれば、エントリした視聴者がカラオケ歌唱の採点で高得点を出せば、ＴＶ受像機１５に、カラオケ曲の映像番組に重ね合わされた視聴者自身の歌唱中の映像が映されることになり、他の視聴者の方が高得点を出せばその視聴者の歌唱中の映像が映し出されることになる。したがって、エントリした視聴者は、視聴者参加型のカラオケ曲放送サービスを楽しむことができる。
【００４０】
［実施の形態２］
なお、上述の実施の形態１では、エントリした各視聴者のカラオケ歌唱の音声データを放送局１のセンタ装置１１に送信し、その内部の採点部１１ｂで歌唱の採点および順位づけを行なっていた。しかしながら、視聴者の自宅のカラオケ端末装置として従来の採点機能付きのカラオケ装置を使用し、当該視聴者の歌唱の採点を視聴者側のカラオケ端末装置で行ない、カラオケ歌唱の音声データの代わりに採点結果を放送局１のセンタ装置１１に送信して、センタ装置１１では採点結果の順位づけおよび高得点者の決定のみを行なうように構成しても同様の効果を得ることができる。
【００４１】
図４は、上述のように従来の採点機能付きのカラオケ装置を視聴者側端末装置として用いたこの発明の実施の形態２によるシステムの全体構成を示している。マイク１４によって得られた音声データは採点機能付きのカラオケ端末装置であるＴＶ受像機１５に与えられ、そこで得られた採点結果は、カメラ１３で撮影された視聴者の映像データとともに公衆回線等２を介して放送局１のセンタ装置１１に送信される。
【００４２】
図５は、図４に示したセンタ装置１１の構成のうち、この実施の形態２に係る制御を行なう部分を抽出して示すブロック図であり、従来のカラオケ曲の映像番組形成に係る部分は図示省略している。また、図６は、図５のセンタ装置１１における制御動作を示すフロー図である。
【００４３】
図５および６に示すセンタ装置１１は、以下に示す点を除いて、図２および図３に示したセンタ装置１１と同じ構成を有し、同じ動作を行なう。
【００４４】
すなわち、エントリ受付（ステップＳ１１）後、視聴者側から音声データに代わって歌唱の採点結果を示すデータがセンタ装置１１の通信制御部１１ａに送られ（ステップＳ１２）、採点結果を示すデータのみが制御部１１ｃに転送される。そして制御部１１ｃは複数の視聴者から受信した採点結果の順位づけを行なう。制御部１１ｃは、決定された順位において高得点を出した視聴者からの映像データを選択する切換信号を発生して通信制御部１１ａに与える。
【００４５】
この結果選択された視聴者からの映像のリアルタイムのデータが放送設備１２によって現在放送中のカラオケ曲の映像番組に合成され、視聴者に放送されることになる（ステップＳ１３およびＳ１４）。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４７】
【発明の効果】
以上のように、この発明によれば、視聴者のカラオケ歌唱の採点結果に応じて、カラオケ曲の映像番組に視聴者の映像を合成することを可能にすることにより、視聴者が自宅で放送サービスによるカラオケを楽しみながら、カラオケ曲の映像番組にリアルタイムで出演することができる視聴者参加型のカラオケ曲放送サービスを実現することができる。
【図面の簡単な説明】
【図１】  この発明の実施の形態１によるカラオケ曲放送システムの全体構成を示す概略ブロック図である。
【図２】  図１に示したセンタ装置の主要部の構成を示す概略ブロック図である。
【図３】  図２に示したセンタ装置の制御動作を示すフロー図である。
【図４】  この発明の実施の形態２によるカラオケ曲放送システムの全体構成を示す概略ブロック図である。
【図５】  図４に示したセンタ装置の主要部の構成を示す概略ブロック図である。
【図６】  図５に示したセンタ装置の制御動作を示すフロー図である。
【符号の説明】
１  放送局、２  公衆回線等、３  視聴者の自宅、４  衛星放送またはＣＡＴＶの伝送路、１１  センタ装置、１１ａ  通信制御部、１１ｂ  採点部、１１ｃ制御部、１２  放送設備、１３  カメラ、１４  マイク、１５  ＴＶ受像機、１６  視聴者。
【図１】
0003691348.tif 000002
【図２】
0003691348.tif 000003
【図３】
0003691348.tif 000004
【図４】
0003691348.tif 000005
【図５】
0003691348.tif 000006
【図６】
0003691348.tif 000007